(57)【特許請求の範囲】
【請求項１】
陰極線管をキャビネットにねじ止めするための第１のねじ穴が形成された固定用金具を有する陰極線管に消磁コイルを保持させるための消磁コイル保持構造において、
第２のねじ穴を有し、前記固定用金具によって前記陰極線管を前記キャビネットにねじ止めするためのねじが前記第２のねじ穴に挿入されるねじ止め部と、前記固定用金具の近傍に配置された消磁コイルを押さえる押さえ部とよりなる金属製の消磁コイル保持具を備え、
前記第２のねじ穴の内径を、前記ねじのねじ山の外径より小さく、かつ、前記ねじのねじ山の頂上からねじ谷までの寸法より大きくすると共に、前記消磁コイル保持具における前記ねじ止め部の板厚を、前記ねじのねじ山のピッチより小さくし、
前記押さえ部に、前記消磁コイルが傷付くことを防止する被覆を設けたことを特徴とする消磁コイル保持構造。
【請求項２】
陰極線管をキャビネットにねじ止めするための第１のねじ穴が形成された固定用金具を有する陰極線管に消磁コイルを保持させるための消磁コイル保持具において、
第２のねじ穴を有し、前記固定用金具によって前記陰極線管を前記キャビネットにねじ止めするためのねじによって前記固定用金具に固定されるねじ止め部と、
前記ねじ止め部に連結し、前記固定用金具の近傍に配置された消磁コイルを押さえる押さえ部とよりなり、
前記ねじ止め部と前記押さえ部とは金属製の一体構造であり、前記押さえ部には前記消磁コイルが傷付くことを防止するための被覆が設けられており、
前記ねじ止め部と前記押さえ部とは前記消磁コイルを押さえる前の初期状態において略Ｌ字状とされており、
前記消磁コイルを押さえるに際して前記押さえ部が前記ねじ止め部方向に折り曲げられて前記消磁コイルを押さえるよう構成したことを特徴とする消磁コイル保持具。
【請求項３】
前記第２のねじ穴の内径を、前記ねじのねじ山の外径より小さく、かつ、前記ねじのねじ山の頂上からねじ谷までの寸法より大きくすると共に、前記ねじ止め部の板厚を、前記ねじのねじ山のピッチより小さくしたことを特徴とする請求項２記載の消磁コイル保持具。
【請求項４】
前記ねじ止め部の幅を前記固定用金具の幅と略同一としたことを特徴とする請求項２または３に記載の消磁コイル保持具。
【発明の詳細な説明】
【０００１】
【発明の属する技術分野】
本発明は、陰極線管（ＣＲＴ）に消磁コイルを保持させる消磁コイル保持構造及び保持具に関する。
【０００２】
【従来の技術】
ＣＲＴを用いた映像表示装置においては、地磁気等の外部磁界によってＣＲＴのシャドウマスクが帯磁することを防ぐため、ＣＲＴに消磁コイルを取り付け、この消磁コイルに電流を流してシャドウマスクを消磁するようにしている。
【０００３】
図１０は従来の消磁コイル保持構造を示す図、図１１は従来の消磁コイル保持構造で用いていた消磁コイル保持具を示す斜視図である。図１０において、ＣＲＴ１の４つの角部には、ＣＲＴ１をキャビネット（図示せず）に固定するための固定用金具２が一体に設けられている。固定用金具２には、ねじ穴２ａが形成されており、ねじ３をねじ穴２ａに通し、ねじ３をキャビネットにねじ止めすることにより、ＣＲＴ１を固定する。なお、ＣＲＴ１は、後述する消磁コイル４をＣＲＴ１に装着した後に、キャビネットに固定する。
【０００４】
ＣＲＴ１の周囲部には、消磁コイル４が配置されている。固定用金具２には、例えば、ねじ穴２ａを挟むように一対の小穴２ｂが形成されている。一方の小穴２ｂに消磁コイル保持具５を通すと共に、その消磁コイル保持具５を消磁コイル４に巻き付けてねじることにより、消磁コイル４をＣＲＴ１に保持させる。消磁コイル保持具５は、図１１に示すように、針金５ａをビニルカバー５ｂで覆ったものであり、例えば３ｍｍ程度の幅を有する。
【０００５】
【発明が解決しようとする課題】
以上説明した従来の消磁コイル保持構造においては、ＣＲＴ１をねじ３によってキャビネットにねじ止めする際、ねじ３に装着したワッシャ３ａが消磁コイル４の被覆を傷付けやすいという問題点があった。消磁コイル４の内部は１次側回路で、固定用金具２は２次側回路のアースであるため、消磁コイル４が固定用金具２に接触すると、絶縁耐圧不良となってしまう。
【０００６】
そこで、消磁コイル保持具５を予め緩めておき、消磁コイル４がワッシャ３ａに接触しないよう手で消磁コイル４をワッシャ３ａより離した状態でねじ３を締め付け、その後、消磁コイル保持具５をねじり直して消磁コイル４を固定するという煩雑な作業が必要であった。このように、従来の消磁コイル保持構造及び保持具は、消磁コイル４をＣＲＴ１に取り付ける際の作業性が悪いという問題点があった。
【０００７】
他の従来例として、特開平９−９１７７号公報に記載のものもあるが、この公報に記載のものは、構造が複雑でコストアップとなり、作業性もよくないという問題点があった。そこで、消磁コイル４をＣＲＴ１に取り付ける際の作業性がよく、しかも、低コストで実現できる消磁コイル保持構造及び保持具が望まれていた。
【０００８】
本発明はこのような問題点に鑑みなされたものであり、消磁コイルを陰極線管に取り付ける際の作業性がよく、しかも、低コストで実現できる消磁コイル保持構造及び保持具を提供することを目的とする。
【０００９】
【課題を解決するための手段】
本発明は、上述した従来の技術の課題を解決するため、
（ａ）陰極線管（１）をキャビネットにねじ止めするための第１のねじ穴（２ａ）が形成された固定用金具（２）を有する陰極線管に消磁コイル（４）を保持させるための消磁コイル保持構造において、第２のねじ穴（５０a1，５１a1）を有し、前記固定用金具によって前記陰極線管を前記キャビネットにねじ止めするためのねじ（３）が前記第２のねじ穴に挿入されるねじ止め部（５０ａ，５１ａ）と、前記固定用金具の近傍に配置された消磁コイルを押さえる押さえ部（５０ｂ，５１ｂ）とよりなる金属製の消磁コイル保持具（５０，５１）を備え、前記第２のねじ穴の内径を、前記ねじのねじ山の外径より小さく、かつ、前記ねじのねじ山の頂上からねじ谷までの寸法より大きくすると共に、前記消磁コイル保持具における前記ねじ止め部の板厚を、前記ねじのねじ山のピッチより小さくし、前記押さえ部に、前記消磁コイルが傷付くことを防止する被覆（５０b1，５１b1）を設けたことを特徴とする消磁コイル保持構造を提供し、
（ｂ）陰極線管（１）をキャビネットにねじ止めするための第１のねじ穴（２ａ）が形成された固定用金具（２）を有する陰極線管に消磁コイル（４）を保持させるための消磁コイル保持具において、第２のねじ穴（５０a1，５１a1）を有し、前記固定用金具によって前記陰極線管を前記キャビネットにねじ止めするためのねじ（３）によって前記固定用金具に固定されるねじ止め部（５０ａ，５１ａ）と、前記ねじ止め部に連結し、前記固定用金具の近傍に配置された消磁コイルを押さえる押さえ部（５０ｂ，５１ｂ）とよりなり、前記ねじ止め部と前記押さえ部とは金属製の一体構造であり、前記押さえ部には前記消磁コイルが傷付くことを防止するための被覆（５０b1，５１b1）が設けられており、前記ねじ止め部と前記押さえ部とは前記消磁コイルを押さえる前の初期状態において略Ｌ字状とされており、前記消磁コイルを押さえるに際して前記押さえ部が前記ねじ止め部方向に折り曲げられて前記消磁コイルを押さえるよう構成したことを特徴とする消磁コイル保持具を提供するものである。
【００１０】
【発明の実施の形態】
以下、本発明の消磁コイル保持構造について、添付図面を参照して説明する。図１は本発明の消磁コイル保持構造による消磁コイルの取付手順を示す斜視図、図２は本発明の消磁コイル保持構造で用いる消磁コイル保持具の一実施例を示す斜視図、図３は本発明の消磁コイル保持構造で用いる陰極線管固定用ねじの一例を示す側面図、図４は本発明の消磁コイル保持構造による作用を説明するための側面図、図５は図２に示す一実施例を用いて消磁コイルを保持させる場合の動作を説明するための斜視図、図６は本発明の消磁コイル保持構造で用いる消磁コイル保持具の他の実施例を示す斜視図、図７は図６に示す他の実施例にねじを挿入した状態を示す斜視図、図８は図６に示す他の実施例と共に用いて好適なエアドライバのビットを示す平面図、図９は図８に示すエアドライバのビットを用いて図６に示す他の実施例を陰極線管に取り付ける場合の動作を説明するための図である。なお、図１〜図９において、図１０と同一部分には同一符号が付してある。
【００１１】
まず、図２を用いて、本発明の消磁コイル保持構造で用いる消磁コイル保持具について説明する。図２に示すように、本発明の消磁コイル保持具５０は、初期状態において、略Ｌ字状の金属板よりなる。消磁コイル保持具５０は、ねじ穴５０ａ１を有するねじ止め部５０ａと、後述する消磁コイル４を押さえる押さえ部５０ｂとよりなる。この押さえ部５０ｂには、消磁コイル４が傷付くことを防止するため、傷防止用熱収縮チューブ（被覆）５０ｂ１が被せてある。本実施例では、ねじ穴５０ａ１の内径は４．７５ｍｍ、消磁コイル保持具５０（ねじ止め部５０ａ）の板厚は０．５ｍｍである。これらの寸法は、ねじ穴５０ａ１に通すねじ３の寸法によって決定されるものである。
【００１２】
図１（Ｃ）に示すように、キャビネット（図示せず）を伏せておき、そのキャビネットに、上方よりＣＲＴ１を配置しておく。図１（Ａ）に示すように、消磁コイル保持具５０のねじ穴５０ａ１にねじ３を通し、磁化されたエアドライバのビット６の先端にねじ３を保持させる。そして、図１（Ｃ）に示すように、消磁コイル保持具５０と共にねじ３を、ＣＲＴ１に設けた固定用金具２のねじ穴２ａまで移送する。このとき、後に詳述する理由により、消磁コイル保持具５０は、ねじ３より脱落しない。従って、消磁コイル保持具５０を手で押さえておく必要はない。
【００１３】
次に、図１（Ｄ）に示すように、ねじ３を締め付け、ＣＲＴ１をキャビネットにねじ止めすることにより、ＣＲＴ１を固定する。ＣＲＴ１のねじ３によるキャビネットへのねじ止めは、従来と同様、ＣＲＴ１の４つの角部でそれぞれ行う。４つの固定用金具２の全てに消磁コイル保持具５０と共にねじ３がねじ止めされたら、図１（Ｅ）に示すように、ＣＲＴ１の周囲部に消磁コイル４を配置し、消磁コイル保持具５０の押さえ部５０ｂを折り曲げ、消磁コイル４を押さえ付けて固定する。消磁コイル４は、消磁効果が最も効果的な固定用金具２の近傍で固定されている。
【００１４】
ここで、本発明の特徴部分である、消磁コイル保持具５０がねじ３より脱落しないための構成について説明する。図３は、ねじ３の寸法を示している。図３に示すように、ねじ３のねじ山の外径は５．０ｍｍ、ねじ谷の外径は３．７ｍｍである。また、ねじ山のピッチは１．５ｍｍである。ねじ３のねじ山及びねじ谷は、ねじ３の長手方向に対して斜めに螺旋状に形成されているため、ねじ３が消磁コイル保持具５０のねじ穴５０ａ１に挿入されるときの実際の寸法は、ねじ山の頂上からねじ谷までの寸法、即ち、４．３５ｍｍとなる。なお、ねじ３のねじ山もしくはねじ谷の外径とは、径が順次小さくなっていくねじ３の先端部ではなく、その先端部を除いた径が一定となっている部分の径である。
【００１５】
従って、消磁コイル保持具５０のねじ穴５０ａ１の内径は、ねじ３のねじ山の頂上からねじ谷までの寸法４．３５ｍｍより大きくなければならない。消磁コイル保持具５０のねじ穴５０ａ１の内径がねじ３のねじ山の外径５．０ｍｍより大きければ、消磁コイル保持具５０は当然ねじ３より脱落する。そこで、消磁コイル保持具５０のねじ穴５０ａ１の内径は、ねじ３のねじ山の外径５．０ｍｍより小さく、かつ、ねじ３のねじ山の頂上からねじ谷までの寸法４．３５ｍｍより大きいことが必要である。図２に示すねじ穴５０ａ１の内径４．７５ｍｍは、以上の条件を満たしている。
【００１６】
さらに、消磁コイル保持具５０の板厚が、ねじ山のピッチ１．５ｍｍより大きければ、ねじ穴５０ａ１の内周部には、ねじ山の頂上どうし（即ち、外径５．０ｍｍ）が接触することとなり、ねじ穴５０ａ１の内径４．７５ｍｍでは、ねじ３を挿入することができない。そこで、消磁コイル保持具５０の板厚を、ねじ山のピッチ１．５ｍｍより小さくすれば、ねじ穴５０ａ１にねじ３を挿入することができる。図２に示す消磁コイル保持具５０の板厚０．５ｍｍは、この条件を満たしている。消磁コイル保持具５０をねじ３の先端部よりワッシャ３ａ方向へと移動させると、ねじ穴５０ａ１の内周部がねじ３に接触しながら、微妙に偏心を繰り返して挿通されていく。なお、ねじ穴５０ａ１を有するねじ止め部５０ａの板厚が、ねじ山のピッチ１．５ｍｍより小さければよいので、押さえ部５０ｂの板厚は任意である。
【００１７】
このように、消磁コイル保持具５０のねじ穴５０ａ１の内径を、ねじ３のねじ山の外径より小さく、かつ、ねじ３のねじ山の頂上からねじ谷までの寸法より大きくし、さらに、消磁コイル保持具５０の板厚を、ねじ３のねじ山のピッチより小さくすると、図４に示すように、ねじ３に挿入した消磁コイル保持具５０は手を離すと自重で矢印方向に傾き、ねじ山がねじ穴５０ａ１に引っ掛かる。従って、消磁コイル保持具５０はねじ３より脱落しない。
【００１８】
以上説明した本発明の消磁コイル保持構造においては、ＣＲＴ１をねじ３によってキャビネットにねじ止めする際には、消磁コイル４をＣＲＴ１に装着していないので、ねじ３に装着したワッシャ３ａが消磁コイル４の被覆を傷付けることはない。しかも、押さえ部５０ｂを折り曲げるだけで消磁コイル４を固定することができるので、消磁コイル４をＣＲＴ１に取り付ける際の作業性が極めてよい。
【００１９】
さらに、消磁コイル保持具５０がねじ３より脱落しないので、作業者は、消磁コイル保持具５０がねじ３より脱落しないよう注意を払ったり、消磁コイル保持具５０を手で押さえる必要もない。従って、本発明の消磁コイル保持構造による作業性は、従来よりも大幅に向上する。また、消磁コイル保持具５０は、金属板によって容易に形成できるので、極めて低コストで実現できる。
【００２０】
図５は、図１（Ｃ），（Ｄ），（Ｅ）の手順を詳細に示している。図５に示すように、消磁コイル保持具５０をＣＲＴ１の固定用金具２に取り付けるには、消磁コイル保持具５０の回転防止のため、消磁コイル保持具５０の押さえ部５０ｂを手で押さえておく必要がある。なお、図５においては、ワッシャ３ａを省略している。
【００２１】
図６は、消磁コイル保持具５０をＣＲＴ１の固定用金具２に装着する際に、消磁コイル保持具５０が回転しないようにするのに好適な他の実施例を示すものである。なお、図６に示す他の実施例を消磁コイル保持具５１と称することとする。図６において、本発明の消磁コイル保持具５１は、初期状態において、略Ｌ字状の金属板よりなる。消磁コイル保持具５１は、ねじ穴５１ａ１を有するねじ止め部５１ａと、消磁コイル４を押さえる押さえ部５１ｂとよりなる。この押さえ部５１ｂには、消磁コイル４が傷付くことを防止するため、傷防止用熱収縮チューブ（被覆）５１ｂ１が被せてある。
【００２２】
消磁コイル保持具５１のねじ穴５１ａ１の内径やねじ止め部５１ａの板厚は、消磁コイル保持具５０と同様に設定している。即ち、消磁コイル保持具５１のねじ穴５１ａ１の内径を、ねじ３のねじ山の外径より小さく、かつ、ねじ３のねじ山の頂上からねじ谷までの寸法より大きくし、さらに、ねじ止め部５１ａの板厚を、ねじ３のねじ山のピッチより小さくしている。これにより、図７に示すように、ねじ３に挿入した消磁コイル保持具５１は手を離してもねじ３より脱落せず、ねじ３に保持される。
【００２３】
消磁コイル保持具５１が消磁コイル保持具５０と異なるところは、ねじ止め部５１ａである。消磁コイル保持具５１のねじ止め部５１ａの幅は、消磁コイル保持具５０のねじ止め部５０ａの幅よりも広くなっている。消磁コイル保持具５１のねじ止め部５１ａの幅は、固定用金具２の幅と略同一としている。ねじ止め部５１ａの幅を固定用金具２の幅と略同一とすることにより、次のようにして消磁コイル保持具５１の回転を防止することができる。
【００２４】
図８は、ねじ３を締め付けるためのエアドライバのビット６を示している。ここでは、消磁コイル保持具５１の回転を防止するため、ビット６の先端部に略コ字状のホールド部７を装着している。ホールド部７は、ビット６の軸の回転方向（実線矢印方向）にフリーで回転自在となっており、ビット６の長手方向（破線矢印方向）には固定されている。
【００２５】
図９に示すように、キャビネット（図示せず）を伏せておき、そのキャビネットに、上方よりＣＲＴ１を配置しておく。消磁コイル保持具５１のねじ穴５１ａ１にねじ３を通し、磁化されたビット６の先端にねじ３を保持させる。ホールド部７は、ねじ止め部５１ａの幅よりも幅の狭い第１の部分７ａと、第１の部分７ａより突出した爪状の第２の部分７ｂとよりなり、第２の部分７ｂの幅はねじ止め部５１ａの幅よりわずかに大きい程度となっている。第２の部分７ｂの先端にはテーパ７ｃが形成されている。このようにすると、第１の部分７ａはねじ止め部５１ａの上面に当接し、第２の部分７ｂはねじ止め部５１ａの幅方向の端面ア（図７参照）に当接する。
【００２６】
そして、消磁コイル保持具５１と共にねじ３を、ＣＲＴ１に設けた固定用金具２のねじ穴２ａまで移送して、ねじ３をねじ穴２ａに挿入させてねじ３を締め付ける工程へと移ると、第２の部分７ｂは固定用金具２の幅方向の端面イに当接しながら、矢印方向へと移動していくことになる。テーパ７ｃは、第２の部分７ｂの固定用金具２への係合を容易にする。ねじ止め部５１ａの幅と固定用金具２の幅とが略同一であるから、第２の部分７ｂの内面には端面ア，イが略当接し、ビット６が回転してもホールド部７は回転せず、消磁コイル保持具５１の回転を規制する。
【００２７】
【発明の効果】
以上詳細に説明したように、本発明の消磁コイル保持構造は、ねじ穴を有し、固定用金具によって陰極線管をキャビネットにねじ止めするためのねじがそのねじ穴に挿入されるねじ止め部と、固定用金具の近傍に配置された消磁コイルを押さえる押さえ部とよりなる消磁コイル保持具を備え、ねじ穴の内径を、ねじのねじ山の外径より小さく、かつ、ねじのねじ山の頂上からねじ谷までの寸法より大きくすると共に、ねじ止め部の板厚を、ねじのねじ山のピッチより小さくしたので、消磁コイルを陰極線管に取り付ける際の作業性がよく、しかも、低コストで実現できる。
【００２８】
また、本発明の消磁コイル保持具は、ねじ穴を有し、固定用金具によって陰極線管をキャビネットにねじ止めするためのねじによって固定用金具に固定されるねじ止め部と、ねじ止め部に連結し、固定用金具の近傍に配置された消磁コイルを押さえる押さえ部とよりなり、ねじ止め部と押さえ部とは、消磁コイルを押さえる前の初期状態において略Ｌ字状とされており、消磁コイルを押さえるに際して押さえ部がねじ止め部方向に折り曲げられて消磁コイルを押さえるよう構成したので、消磁コイルを陰極線管に取り付ける際の作業性がよく、しかも、低コストで実現できる。
【図面の簡単な説明】
【図１】本発明による消磁コイルの取付手順を示す斜視図である。
【図２】本発明の消磁コイル保持具の一実施例を示す斜視図である。
【図３】本発明で用いる陰極線管固定用ねじの一例を示す側面図である。
【図４】本発明による作用を説明するための側面図である。
【図５】図２に示す一実施例を用いて消磁コイルを保持させる場合の動作を説明するための斜視図である。
【図６】本発明の消磁コイル保持具の他の実施例を示す斜視図である。
【図７】図６に示す他の実施例にねじを挿入した状態を示す斜視図である。
【図８】図６に示す他の実施例と共に用いて好適なエアドライバのビットを示す平面図である。
【図９】図８に示すエアドライバのビットを用いて図６に示す他の実施例を陰極線管に取り付ける場合の動作を説明するための図
【図１０】従来例を示す図である。
【図１１】従来例で用いていた消磁コイル保持具を示す斜視図である。
【符号の説明】
１  陰極線管（ＣＲＴ）
２  固定用金具
２ａ  ねじ穴
３  ねじ
３ａ  ワッシャ
４  消磁コイル
６  ビット
７  ホールド部
５０，５１  消磁コイル保持具
５０ａ，５１ａ  ねじ止め部
５０ａ１，５１ａ１  ねじ穴
５０ｂ，５１ｂ  押さえ部
５０ｂ１，５１ｂ１  熱収縮チューブ（被覆）
【図１】
0003573333.tif 000002
【図２】
0003573333.tif 000003
【図３】
0003573333.tif 000004
【図４】
0003573333.tif 000005
【図５】
0003573333.tif 000006
【図６】
0003573333.tif 000007
【図７】
0003573333.tif 000008
【図８】
0003573333.tif 000009
【図９】
0003573333.tif 000010
【図１０】
0003573333.tif 000011
【図１１】
0003573333.tif 000012